(57)【特許請求の範囲】
【請求項１】
水洗式便器の便器本体に供給する洗浄水を貯留する内タンクと、この内タンクを収納する外タンクと、この外タンクに前記内タンクを固定する固定部材とを備えた便器洗浄タンクであって、
前記外タンクは、底部を貫通し、前記内タンクの固定に利用する固定孔と、この固定孔とは別に前記底部を貫通した貫通孔とを有しており、
前記内タンクは、前記外タンクへの固定に利用する固定部を有したタンク本体と、このタンク本体の外周面を覆いつつ、上方から見た平面視において前記タンク本体の外側面よりも外側に張り出した下部を有し、この部分に前記貫通孔に連通し、垂直方向に貫通した挿通孔が形成された防露材とから構成されており、
前記固定部を前記固定孔に挿通して前記貫通孔の上方に前記防露材を配置し、前記固定孔の内周面と前記固定部の外周面との間に隙間を形成し、前記固定孔及び前記固定部を利用して前記固定部材により前記内タンクを前記外タンクに固定することによって、前記貫通孔の上端開口の周縁部の上面と前記防露材の底部の下面との間に水密状に挟持される止水部材を備えており、
前記内タンクに洗浄水を供給する給水管が、前記貫通孔及び前記防露材を貫通する前記挿通孔を挿通し、前記タンク本体と前記外タンクとの間を前記タンク本体の上部まで伸びて配置されていることを特徴とする便器洗浄タンク。
【請求項２】
水洗式便器の便器本体に供給する洗浄水を貯留する内タンクと、この内タンクを収納する外タンクと、この外タンクに前記内タンクを固定する固定部材とを備えた便器洗浄タンクであって、
前記外タンクは、底部を貫通し、前記内タンクの固定に利用する固定孔と、この固定孔とは別に前記底部を貫通した貫通孔とを有しており、
前記内タンクは、前記外タンクへの固定に利用する固定部を有したタンク本体と、このタンク本体の外周面を覆いつつ、上方から見た平面視において前記タンク本体の外側面よりも外側に張り出した下部を有し、この部分に前記貫通孔に連通し、垂直方向に貫通した挿通孔が形成された防露材とから構成されており、
前記固定部を前記固定孔に挿通して前記貫通孔の上方に前記防露材を配置し、前記固定孔の内周面と前記固定部の外周面との間に隙間を形成し、前記固定孔及び前記固定部を利用して前記固定部材により前記内タンクを前記外タンクに固定することによって、前記貫通孔の上端開口の周縁部の上面と前記防露材の底部の下面との間に水密状に挟持される止水部材と、
前記外タンク内に収納した吸気装置と、
を備えており、
前記吸気装置と前記便器本体に設けられた便器排水路とを連通する吸気管が、前記貫通孔及び前記防露材を貫通し、前記タンク本体と前記外タンクとの間を前記タンク本体の上部まで伸びて配置されていることを特徴とする便器洗浄タンク。
【請求項３】
前記防露材は、底部の下面を上方に凹設し、前記固定孔の内周面と前記固定部の外周面との隙間に連通する通水路を有していることを特徴とする請求項１又は２記載の便器洗浄タンク。
【請求項４】
前記防露材は、底部の下面から下方に凸設し、前記止水部材を位置決めする凸部を有していることを特徴とする請求項１乃至３のいずれか１項記載の便器洗浄タンク。
【発明の詳細な説明】
【技術分野】
【０００１】
本発明は便器洗浄タンクに関する。
【背景技術】
【０００２】
特許文献１には従来の便器洗浄タンクが開示されている。この便器洗浄タンクは水洗式便器の便器本体に取り付けるものである。また、この便器洗浄タンクは、便器本体に供給する洗浄水を貯留する内タンクと、この内タンクを収納する外タンクとを備えている。内タンクは、底部から下方に延び、下端が開口した円筒状の排水部を有している。外タンクは底部を貫通した固定孔を有している。固定孔は、内タンクの排水部を挿通し、内タンクの固定に利用されている。また、外タンクは固定孔とは別に底部を貫通した貫通孔を有している。貫通孔は内タンクに洗浄水を供給する給水管を挿通している。さらに、外タンクは貫通孔の上端開口の周縁部に上方に凸設した堰部を形成している。
【０００３】
この便器洗浄タンクは、内タンクの外表面に結露水が発生した場合、結露水が内タンクの外表面に伝わって、外タンクの底部の上面に流下する。外タンクの底部の上面に流下した結露水は、貫通孔の上端開口の周縁部に上方に凸設した堰部によって堰き止められ、貫通孔から外タンクの外部に流出しない。このため、この便器洗浄タンクは結露水の漏水を防止することができる。
【先行技術文献】
【特許文献】
【０００４】
【特許文献１】特開２００５−２０７０４９号公報
【発明の概要】
【発明が解決しようとする課題】
【０００５】
しかし、特許文献１の便器洗浄タンクでは、外タンク内で発生した漏水が堰部を乗り越えてしまうような流量である場合、貫通孔から外タンクの外部へ水が流出してしまう。また、外タンクを陶器で製造する場合、堰部を形成した部分で外タンクの底部の肉厚が部分的に厚くなるため、製造時の収縮変形により亀裂が生じる等、製造性が悪くなるおそれがある。また、製造時の収縮変形による亀裂等を生じ難くするために原料を変更する等、製造コストがアップするおそれがある。
【０００６】
本発明は、上記従来の実情に鑑みてなされたものであって、製造性がよく、漏水を確実に防止することができる便器洗浄タンクを提供することを解決すべき課題としている。
【課題を解決するための手段】
【０００７】
本発明の便器洗浄タンクは、水洗式便器の便器本体に供給する洗浄水を貯留する内タンクと、この内タンクを収納する外タンクと、この外タンクに前記内タンクを固定する固定部材とを備えた便器洗浄タンクであって、
前記外タンクは、底部を貫通し、前記内タンクの固定に利用する固定孔と、この固定孔とは別に前記底部を貫通した貫通孔とを有しており、
前記内タンクは、前記外タンクへの固定に利用する固定部を有したタンク本体と、このタンク本体の外周面を覆いつつ、上方から見た平面視において前記タンク本体の外側面よりも外側に張り出した下部を有し、この部分に前記貫通孔に連通し、垂直方向に貫通した挿通孔が形成された防露材とから構成されており、
前記固定部を前記固定孔に挿通して前記貫通孔の上方に前記防露材を配置し、前記固定孔の内周面と前記固定部の外周面との間に隙間を形成し、前記固定孔及び前記固定部を利用して前記固定部材により前記内タンクを前記外タンクに固定することによって、前記貫通孔の上端開口の周縁部の上面と前記防露材の底部の下面との間に水密状に挟持される止水部材を備えており、
前記内タンクに洗浄水を供給する給水管が、前記貫通孔及び前記防露材を貫通する前記挿通孔を挿通し、前記タンク本体と前記外タンクとの間を前記タンク本体の上部まで伸びて配置されていることを特徴とする。
【０００８】
この便器洗浄タンクは、貫通孔の上端開口の周縁部の上面と防露材の底部の下面との間に止水部材を水密状に挟持するため、貫通孔から外部へ水が流出することを確実に防止することができる。また、内タンクを外タンクに固定することによって、止水部材を貫通孔の上端開口の周縁部の上面と防露材の底部の下面との間に水密状に挟持することができる。このため、止水部材のみを取り付ける手間を要しない。さらに、貫通孔の周囲の肉厚を厚くしなくてもよいため、外タンクを陶器で製造する場合でも、製造時の収縮変形による亀裂を抑制することができ、歩留まりを向上することができるとともに、通常の便器洗浄タンクと同様の原料を使用することができる。
【０００９】
したがって、本発明の便器洗浄タンクは、製造性がよく、漏水を確実に防止することができる。
【００１０】
前記貫通孔は前記内タンクに洗浄水を供給する給水管を挿通しており、この給水管は前記防露材を貫通する前記挿通孔を挿通し、前記タンク本体の外側に配置される。この場合、外タンクの上部から給水管が露出することなく、外タンクの底部から給水管が露出する。このため、すっきりとした外観を有した便器洗浄タンクにすることができるとともに、便器洗浄タンクからの漏水を確実に防止することができる。
【００１１】
前記外タンク内に収納した吸気装置を備えており、前記貫通孔はこの吸気装置と前記便器本体に設けられた便器排水路とを連通する吸気管を挿通しており、この吸気管は前記防露材を貫通する前記挿通孔を挿通し、前記タンク本体の外側に配置される。この場合、外タンクの上部から吸気管が露出することなく、外タンクの底部から吸気管が露出する。このため、すっきりとした外観を有した便器洗浄タンクにすることができるとともに、便器洗浄タンクからの漏水を確実に防止することができる。また、便器排水路内の空気を吸気装置が吸引することによって、便器排水路内にサイホン作用を発生させることができ、少ない洗浄水で便器洗浄を良好に行うことができる。
【００１２】
前記防露材は、前記貫通孔に連通し、垂直方向に貫通した挿通孔を有している。この場合、給水管、又は吸気管を貫通孔に挿通する際、挿通孔が給水管、又は吸気管を貫通孔に案内して容易に挿通することができる。
【００１３】
前記防露材は、前記底部の下面を上方に凹設し、前記固定孔の内周面と前記固定部の外周面との隙間に連通する通水路を有し得る。この場合、外タンクの底部の上面に流下した結露水や漏水を通水路を介して、固定孔の内周面と固定部の外周面との隙間から便器本体の便鉢部等へ排水することができる。
【００１４】
前記防露材は、底部の下面から下方に凸設し、前記止水部材を位置決めする凸部を有し得る。この場合、止水部材を凸部に合わせて防露材の底部の下面の所定箇所に配置させることができ、内タンクを外タンクに固定する際に貫通孔の上端開口の周縁部の上面に止水部材を確実に当接させることができる。このため、貫通孔の上端開口の周縁部の上面と防露材の底部の下面との間に止水部材を水密状に挟持することができる。よって、貫通孔から外部へ水が流出してしまうことを確実に防止することができる。
【００１５】
前記内タンクは、タンク本体と、このタンク本体の外周面を覆う防露材とから構成される。この場合、内タンクの外表面に結露水が発生することを防止することができる。
【図面の簡単な説明】
【００１６】
【図１】実施例１の便器洗浄タンクを示す正面断面図である。
【図２】実施例１の便器洗浄タンクを示す要部断面図である。
【図３】実施例１のタンク本体を示す斜視図である。
【図４】実施例１のタンク本体の切取り側面部を示す要部斜視図である。
【図５】実施例１のタンク本体の切取り側面部を切り取った状態を示す要部斜視図である。
【図６】実施例１の便器洗浄タンクを示す上面断面図である。
【図７】実施例１の便器洗浄タンクを示す左側面断面図である。
【図８】実施例１の便器洗浄タンクを示す右側面断面図である。
【図９】実施例１の防露材を示す斜視図である。
【図１０】実施例２の便器洗浄タンクを示す正面断面図である。
【発明を実施するための形態】
【００１７】
本発明の便器洗浄タンクを具体化した実施例１及び２を図面を参照しつつ説明する。
【００１８】
＜実施例１＞
実施例１の便器洗浄タンクは、図１〜図９に示すように、樹脂製の内タンク１０、陶器製の外タンク２０、固定部材である締付けナット３０、及び止水部材であるパッキン５１、５２を備えている。この便器洗浄タンクは水洗式便器の便器本体１の後部上面に載置して取り付けることができる。また、この便器洗浄タンクは、吐水具４１が取り付けられ、外タンク２０の上端開口を覆う手洗い鉢を有する蓋部材４０を備えている。
【００１９】
内タンク１０は、タンク本体１０Ａと、このタンク本体１０Ａの側面及び底面の外周面を覆う発泡ポリスチレン製の防露材１０Ｂとから構成されている。防露材１０Ｂの内周面は、一部分を除き、タンク本体１０Ａの外周面に沿った形状をしている。このため、タンク本体１０Ａと防露材１０Ｂとは、防露材１０Ｂの上端開口から防露材１０Ｂ内にタンク本体１０Ａを挿入して一体化することができる。防露材１０Ｂは、タンク本体１０Ａを挿入して一体化した状態で、上端部がタンク本体１０Ａに貯留される洗浄水の最高水位と略等しい高さに位置している。このため、内タンク１０の外表面に結露水が発生することを防止することができる。
【００２０】
タンク本体１０Ａは、図１及び図２に示すように、底部の中央部に下方に延びて開口する略円筒状の排水部１１を有している。排水部１１は、外周面の下部にねじ山を形成しており、内タンク１０を外タンク２０に固定する固定部としても機能する。排水部１１は、タンク本体１０Ａと防露材１０Ｂとを一体化した状態で、防露材１０Ｂの下面よりも下方に延びている。また、排水部１１は、内タンク１０を外タンク２０に固定する際、外タンク２０の底部の下面より下方に突出するように形成されている。
【００２１】
タンク本体１０Ａは、排水部１１内に弁座部材６１を収納している。弁座部材６１は、排水部１１内に収納された状態で、垂直方向に貫通する円筒状の流路を形成し、上端開口部に排水部１１を開閉するフラッパー式の開閉弁６０の弁座を形成している。開閉弁６０は、第１球鎖６２、及びフロート部材６３Ａを途中に連結した第２球鎖６３の下端部を連結している。第１玉鎖６２、及び第２玉鎖６３の上端部は、外タンク２０の右側面（図１において右側に示す側面）に回動自在に取り付けられた洗浄ハンドル６４に連結した回動軸部材６４Ａに連結している。このため、この便器洗浄タンクは、洗浄ハンドル６４の回動方向を変更することによって、開閉弁６０の開度及び開放時間を変更することができ、大洗浄、又は小洗浄の便器洗浄を実行することができる。タンク本体１０Ａは、内部に立設し、排水部１１に連通するオーバーフロー管６５を有している。
【００２２】
タンク本体１０Ａは、図３及び図４に示すように、右側面の上端部に開口する切欠き部１２を有している。この切欠き部１２は、外タンク２０の右側面に取り付けられた洗浄ハンドル６４に連結した回動軸部材６４Ａを挿通するように形成されている。また、タンク本体１０Ａは、前側面の上端部の左右両側と左側面の上端部の前側に設けられ、切り取ることができる切取り側面部１３Ａ、１３Ｂ、１３Ｃを有している。これら切取り側面部１３Ａ、１３Ｂ、１３Ｃは、切り取り得る形状の外周に沿って、複数のスリット状の開口１４を直列的に配置している。このため、開口１４間を連結している連結部１４Ａを切断することによって、タンク本体１０Ａの前側面の上端部の右側、又は左側面の上端部の前側に開口する切欠き部を容易に設けることができる。
【００２３】
便器洗浄タンクの仕様によって、洗浄ハンドル６４を外タンク２０の前側面の左右どちらか一方、又は左側面に取り付けることがある。例えば、洗浄ハンドル６４を外タンク２０の左側面に取り付ける際には、タンク本体１０Ａの左側面の上端部に設けられた切取り側面部１３Ｃを切り取る。これによって、図５に示すように、切欠き部１５を形成し、この切欠き部１５に洗浄ハンドル６４の回転軸部材６４Ａを挿通することができる。また、同様に、洗浄ハンドル６４を外タンク２０の前側面の左右どちらか一方に取り付ける際には、タンク本体１０Ａの前側面の上端部に設けられた切取り側面部１３Ａ、１３Ｂの対応する一方を切り取る。これによって形成した切欠き部に洗浄ハンドル６４の回転軸部材６４Ａを挿通することができる。このように、このタンク本体１０Ａは、洗浄ハンドル６４を外タンク２０の前側面の左右どちらか一方、又は左側面に取り付ける便器洗浄タンクにも利用することができる。
【００２４】
仮に、洗浄ハンドル６４の複数の取付位置に対応して、タンク本体１０Ａの前側面の上端部の左右両側、及び左側面の上端部の前側にも開口した切欠き部を設けた場合、地震等によって、便器洗浄タンクが揺れたり、傾いたりした際に、タンク本体１０Ａ内に貯留した洗浄水がそれら切欠き部から外タンク２０内に流出してしまうおそれがある。これに対し、このタンク本体１０Ａは、切取り側面部１３Ａ、１３Ｂ、１３Ｃによって、切欠き部を閉鎖しているため、タンク本体１０Ａ内に貯留した洗浄水が外タンク２０内に流出することを防止することができる。
【００２５】
タンク本体１０Ａは、図１、図６、及び図７に示すように、左側面部の上端部の後側にボールタップ７０を取り付けている。ボールタップ７０は上流側の接続部に給水管７３を接続している。給水管７３は、フレキシブルホースで形成されており、給水源Ｓに連通している。ボールタップ７０はタンク本体１０Ａ内の洗浄水の水位の昇降によって上下動する浮玉７１を有している。ボールタップ７０は、便器洗浄の実行によって、タンク本体１０Ａ内の洗浄水の水位が下降するとともに、浮玉７１が下降すると、開閉弁を開放し、吐水口７２から洗浄水を吐水する。また、ボールタップ７０は、便器洗浄が終了し、タンク本体１０Ａ内の洗浄水の水位が上昇するとともに、浮玉７１が設定高さ以上に上昇すると、開閉弁を閉弁し、吐水口７２からの洗浄水の吐水を停止する。
【００２６】
タンク本体１０Ａは、図１、図６、及び図８に示すように、吸気装置８０を右側（図１において右側）の内部に収納している。吸気装置８０は、下端部が開放した空洞のケース８１、このケース８１の上端に収納した図示しない弁機構、及び弁機構の上端部に接続した吸気管８２を有している。吸気管８２は、フレキシブルホースで形成されており、便器本体１に設けられた便鉢部の下流側に連通する便器排水路２に連通している。
【００２７】
この吸気装置８０は、便器洗浄の実行によって、ケース８１より外側のタンク本体１０Ａ内の洗浄水の水位が設定水位以下になると、弁機構がケース８１内と吸気管８２とを連通するように開弁する。これによって、吸気管８２及び弁機構を介して、便器排水路２内の空気をケース８１内に吸引するとともに、ケース８１内の洗浄水の水位が下降する。このように、吸気装置８０は、便器洗浄の開始後に、便器排水路２内の空気を吸引する。これによって、便器排水路２内にサイホン作用を確実に発生させることができる。このため、この吸気装置８０を備えた便器洗浄タンクを取り付けた水洗式便器は、少ない洗浄水でサイホン作用を発生させ、便器洗浄を良好に行うことができる。
【００２８】
防露材１０Ｂは、図１、図２、及び図７〜図９に示すように、後方の左右角部の下部に垂直方向に貫通した円筒状の第１挿通孔１６及び第２挿通孔１７を有している。第１挿通孔１６は後述する外タンク２０の第１貫通孔２１に連通し、第２挿通孔１７は後述する外タンク２０の第２貫通孔２２に連通している。
【００２９】
防露材１０Ｂは、第１挿通孔１６の下端開口の周縁部を下方に凸設した円環状の凸部１６Ａを有している。また、防露材１０Ｂは、第２挿通孔１７の下端開口の周縁部を下方に凸設した円環状の凸部１７Ａを有している。つまり、これら凸部１６Ａ、１７Ａは、タンク本体１０Ａと防露材１０Ｂとから構成された内タンク１０の底部の下面から下方に凸設し、後述するパッキン５１、５２に形成された中央孔５１Ａ、５２Ａに挿入され、パッキン５１、５２の位置決めをすることができる。
【００３０】
防露材１０Ｂは、図９に示すように、底部にタンク本体１０Ａの排水部１１を挿通する開口１８が形成されている。防露材１０Ｂは開口１８の周縁部に沿って下方に突出する脚部１８Ａを形成している。脚部１８Ａは上方に凹設した通水路１８Ｂを６か所に設けている。つまり、通水路１８Ｂは、タンク本体１０Ａと防露材１０Ｂとから構成された内タンク１０の底部の下面を上方に凹設して形成されている。
【００３１】
防露材１０Ｂは、図６及び図９に示すように、前側面（図６において右側に位置する側面）の左側（図６において下側）、及び後側面（図６において左側に位置する側面）の右側（図６において上側）に、上端から下端近傍まで延びた帯状の凸部１９Ａ、１９Ｂを有している。タンク本体１０Ａと防露材１０Ｂとから構成された内タンク１０を外タンク２０に固定する際、外タンク２０の底部の下面より下方に突出した排水部１１に対し、締付けナット３０を締め付ける。このため、内タンク１０に排水部１１を中心として回転する力が加わるが、凸部１９Ａ、１９Ｂが外タンク２０の内面に当接するため、外タンク２０内で内タンク１０が回転することを規制することができる。このため、外タンク２０に対して内タンク１０の組み付け位置がずれることなく、洗浄ハンドル６４、給水管７３、及び吸気管８２を良好に組み付けることができるため、組み付け部からの漏水を防止することができる。
【００３２】
また、凸部１９Ａ、１９Ｂは、発泡ポリスチレン製の防露材１０Ｂに一体に形成されているため、弾性を有している。このため、内タンク１０を外タンク２０へ挿入する際、凸部１９Ａ、１９Ｂを外タンク２０の内面に当接させながら挿入することができ、凸部１９Ａ、１９Ｂを外タンク２０の内面に確実に当接することができる。よって、内タンク１０を外タンク２０内の所定の位置に挿入することができるとともに、内タンク１０の回転を確実に規制することができる。また、凸部１９Ａ、１９Ｂが内タンク１０の下端近傍まで延びて形成されている。これは、外タンク２０が陶器製である場合、外タンク２０の下部（底部近傍）が製造時の変形が少なく、その内面に凸部１９Ａ、１９Ｂを確実に当接することができるためである。
【００３３】
外タンク２０は、図１及び図２に示すように、底部の中央部を貫通する固定孔２３を有している。固定孔２３は、その開口形状を内タンク１０の排水部１１より僅かに大きい円形状に形成している。このため、内タンク１０を外タンク２０に固定した際、固定孔２３の内周面と排水部１１の外周面との間に隙間が形成される。また、外タンク２０は、底部の後方の左右角部に垂直方向に貫設した第１貫通孔２１及び第２貫通孔２２を有している。
【００３４】
パッキン５１、５２は、図９に示すように、略四角形の平板状であり、中央部を貫設した中央孔５１Ａ、５２Ａを有している。パッキン５１、５２は、上述したように、中央孔５１Ａ、５２Ａに防露材１０Ｂの円環状の凸部１６Ａ、１７Ａを挿入し、位置決めされ、防露材１０Ｂ（内タンク１０）の下面に貼付されている。このため、防露材１０Ｂに形成された第１挿通孔１６及び第２挿通孔１７の夫々にパッキン５１、５２の中央孔５１Ａ、５２Ａが連通している。
【００３５】
このような構成を有する便器洗浄タンクは、内タンク１０を外タンク２０に固定する際、先ず、内タンク１０の防露材１０Ｂに形成した凸部１９Ａ、１９Ｂを外タンク２０の内面に当接させつつ、内タンク１０を外タンク２０の上方開口から挿入する。すると、内タンク１０を外タンク２０内の所定の位置に挿入することができるため、内タンク１０の排水部１１が外タンク２０の固定孔２３に挿通され、排水部１１の下部を固定孔２３の下端開口から下方に突出させることができる。また、内タンク１０の第１挿通孔１６及び第２挿通孔１７の夫々に連通するように貼付されたパッキン５１、５２の中央孔５１Ａ、５２Ａの夫々を外タンク２０の第１貫通孔２１及び第２貫通孔２２に連通する位置に配置することができる。
【００３６】
この状態で、外タンク２０の固定孔２３の下方に突出した内タンク１０の排水部１１の外周面に形成したねじ山に締付けナット３０を締め付ける。これによって、内タンク１０の底部と締付けナット３０とが外タンク２０の底部を挟み込み、内タンク１０と外タンク２０とを固定することができる。この際、外タンク２０に貫設した第１貫通孔２１及び第２貫通孔２２の上端開口の周縁部の上面と、内タンク１０の底部の下面（パッキン５１、５２が貼付された面）との間で、パッキン５１、５２が押しつぶされながら水密状に挟持される。このため、第１貫通孔２１及び第２貫通孔２２から外部へ水が流出することを確実に防止することができる。また、パッキン５１、５２のみを取り付ける手間を要しない。さらに、第１貫通孔２１及び第２貫通孔２２の周囲の肉厚を厚くしなくてもよいため、外タンク２０を陶器で製造する場合でも、製造時の収縮変形による亀裂を抑制することができ、歩留まりを向上することができるとともに、通常の便器洗浄タンクと同様の原料を使用することができる。
【００３７】
したがって、実施例１の便器洗浄タンクは、製造性がよく、漏水を確実に防止することができる。
【００３８】
給水管７３は、外タンク２０内から第１挿通孔１６及び第１貫通孔２１を挿通して外タンク２０の底部から露出している。この際、第１挿通孔１６が第１貫通孔２１より上方に延びて形成されているため、第１挿通孔１６の上端開口に給水管７３を挿入し易い。また、第１挿通孔１６が給水管７３を第１貫通孔２１に案内するため、給水管７３を第１貫通孔２１に容易に挿通することができる。また、吸気管８２は、外タンク２０内から第２挿通孔１７及び第２貫通孔２２を挿通して外タンク２０の底部から露出している。この際、第２挿通孔１７も第２貫通孔２２より上方に延びて形成されているため、第２挿通孔１７の上端開口に吸気管８２を挿入し易い。また、第２挿通孔１７が吸気管８２を第２貫通孔２２に案内するため、吸気管８２を第２貫通孔２２に容易に挿通することができる。さらに、給水管７３、及び吸気管８２は、外タンク２０の底部から露出しているため、すっきりとした外観を有した便器洗浄タンクにすることができるとともに、便器洗浄タンクからの漏水を確実に防止することができる。
【００３９】
また、第１挿通孔１６及び第２挿通孔１７の高さ（垂直方向の寸法）は、想定される外タンク２０と内タンク１０との間に生じる漏水の再大流量、つまり、ボールタップ７０の給水流量が漏水した場合の外タンク２０と内タンク１０との間に一時的に貯留される水の水位より高くしている。このため、便器洗浄タンクからの漏水を確実に防止することができる。
【００４０】
内タンク１０を外タンク２０に固定した状態で、内タンク１０の底部の下面に形成された脚部１８Ａが外タンク２０の底部の上面に当接している。この脚部１８Ａに設けられた通水路１８Ｂを通じて、外タンク２０と内タンク１０との間に生じた結露水や漏水を固定孔２３の内周面と排水部１１の外周面との間の隙間から外タンク２０外へ排出することができる。この便器洗浄タンクは、便器本体１の後部上面に載置され、外タンク２０の底部から下方に延びる２本のボルトＢによって便器本体１に取り付けられる。この際、排水部１１は、便器本体１の便鉢部に洗浄水を供給する分配管３の流入口に挿入される。このため、固定孔２３の内周面と排水部１１の外周面との間に隙間から外タンク２０外へ排出される結露水や漏水は便鉢部へ排水することができる。
【００４１】
＜実施例２＞
実施例２の便器洗浄タンクは、図１０に示すように、吸気装置を備えていない点で実施例１と相違する。吸気装置を備えていないため、外タンク１２０は底部の後方の左角部に第１貫通孔２１が貫設されているのみである（底部の後方の右角部に第２貫通孔を貫設していない。）。他の構成は実施例１と同様であり、実施例１と同一の構成は同一の符号を付し詳細な説明を省略する。
【００４２】
この便器洗浄タンクも、外タンク２０の固定孔２３の下方に突出した内タンク１０の排水部１１の下部に締付けナット３０を締め付けることによって、内タンク１０を外タンク２０に固定することができる。この際、外タンク２０に貫設した第１貫通孔２１の上端開口の周縁部の上面と、内タンク１０の底部の下面（パッキン５１が貼付された面）との間で、パッキン５１が押しつぶされながら水密状に挟持される。このため、第１貫通孔２１から外部へ水が流出することを確実に防止することができる。また、パッキン５１のみを取り付ける手間を要しない。さらに、第１貫通孔２１の周囲の肉厚を厚くしなくてもよいため、外タンク２０を陶器で製造する場合でも、製造時の収縮変形による亀裂を抑制することができ、歩留まりを向上することができるとともに、通常の便器洗浄タンクと同様の原料を使用することができる。
【００４３】
したがって、実施例２の便器洗浄タンクも、製造性がよく、漏水を確実に防止することができる。
【００４４】
本発明は上記記述及び図面によって説明した実施例１及び２に限定されるものではなく、例えば次のような実施例も本発明の技術的範囲に含まれる。
（１）実施例１及び２では、通水路を内タンクの底部に設けたが、外タンクの底部に設けてもよい。
（２）実施例１及び２では、通水路を介して固定孔の内周面と固定部の外周面との隙間から結露水や漏水を排水したが、外タンクの底部に便鉢部に連通する排水孔を貫設する等、他の排水経路を設けてもよい。
（３）実施例１及び２では、内タンクの底部の下面にパッキンを位置決めする凸部を設けたが、他の構造でパッキンの位置決めをしてもよい。また、パッキンの位置決め構造を有しなくてもよい。
【符号の説明】
【００４５】
１…便器本体
１０…内タンク
１０Ａ…タンク本体
１０Ｂ…防露材
１１…排水部（固定部）
１６、１７…挿通孔（１６…第１挿通孔、１７…第２挿通孔）
１６Ａ、１７Ａ…凸部
１８Ｂ…通水路
２０…外タンク
２１、２２…貫通孔（２１…第１貫通孔、２２…第２貫通孔）
２３…固定孔
３０…固定部材
５１、５２…パッキン（止水部材）
７３…給水管
８０…吸気装置
８２…吸気管
【図１】
0005868009.tif 000002
【図２】
0005868009.tif 000003
【図３】
0005868009.tif 000004
【図４】
0005868009.tif 000005
【図５】
0005868009.tif 000006
【図６】
0005868009.tif 000007
【図７】
0005868009.tif 000008
【図８】
0005868009.tif 000009
【図９】
0005868009.tif 000010
【図１０】
0005868009.tif 000011